(57)【要約】      （修正有）【課題】間伐材を利用して資源の有効利用を図り、また景観の向上も図ることができる間伐材を利用したガードフェンスを提供する。【解決手段】適宜間隔に設けた支柱１、１間に上下２本の横ビーム２、２を架設するとともに、この横ビームに木製の縦材３を取り付けたガードフェンスである。前記縦材３は、間伐材から中央部の角材を切り出した場合に生じる外周部の廃材により形成されるものであり、樹皮を剥いた円弧状面を表面側とし、切削面である直線状面を裏面側とする断面蒲鉾型のものである。この縦材３は、直線状面が前記横ビーム２に密着した状態で取り付けてある。【選択図】図２
0003152583.tif 000002
【実用新案登録請求の範囲】
【請求項１】
適宜間隔に設けた支柱間に上下２本の横ビームを架設するとともに、この横ビームに木製の縦材を取り付けたガードフェンスであって、前記縦材が間伐材から中央部の角材を切り出した場合に生じる外周部の廃材により形成されるものであり、樹皮を剥いた円弧状面を表面側とし、切削面である直線状面を裏面側とする断面蒲鉾型の縦材を、直線状面が前記横ビームに密着した状態で取り付けてあることを特徴とする間伐材を利用したガードフェンス。
【請求項２】
支柱と横ビーム、および横ビームと縦材は各々締結部材で枢着されて、前記２本の支柱が平行移動できるよう構成されており、地形の傾斜に対応させて横ビームを傾斜した状態とすることができる請求項１に記載の間伐材を利用したガードフェンス。
【請求項３】
支柱が角鋼管からなり、その表面側にも縦材が取り付けられている請求項１または２に記載の間伐材を利用したガードフェンス。
【請求項４】
縦材の上端部に保護キャップが装着されている請求項１〜３のいずれかに記載の間伐材を利用したガードフェンス。
【考案の詳細な説明】
【技術分野】
【０００１】
本考案は、間伐材を利用して資源の有効利用を図り、また景観の向上も図ることができる間伐材を利用したガードフェンスに関するものである。
【背景技術】
【０００２】
従来から、山間部を縦断している高速道路等においては、道路内へ犬や猫等の小動物が侵入するのや、人が立ち入るのを防止する等の目的で、道路の脇に沿ってガードフェンスが設けられている。このようなガードフェンスとしては、金網や金属製の線材を格子状に組み合わせた平パネルを取り付けたものや、金属製の板状材を一定間隔で複数枚取り付けたもの等が普通に用いられていた。しかし、金属製の平パネルや板状材は資材重量が重いため据付けに機械力を使用しなければならないという問題や設置費用が高くなる等の問題があり、更には景観性に劣るという問題も指摘されていた。
【０００３】
一方、最近では資源の有効利用の観点から間伐材の利用が注目されており、このような間伐材を用いるとともに、景観性を向上させる間伐材を利用したガードフェンスとして、特許文献１や特許文献２に示されるように、間伐材から製造した丸棒や角材を用いたもの等、種々のものが提案されている。
【０００４】
しかしながら、従来の特許文献１、２に示されたものは、いずれも間伐材を切削加工して一定の形状に揃えたものを利用するため、削り取った外周部は全て廃材として処分することとなり、間伐材の完全利用には至っていないという問題点があった。また、切削加工を施した面が意匠面となっているので自然さに欠けるという問題点もあった。
【先行技術文献】
【特許文献】
【０００５】
【特許文献１】特開２００４−２８５８０７号公報
【特許文献２】特開２００６−２１４１２１号公報
【考案の概要】
【考案が解決しようとする課題】
【０００６】
本考案は上記のような問題点を解決して、間伐材の廃材として処分する部分の発生をより少なくして資源の有効利用を図ることができ、またより自然な風合いの意匠面を形成して景観性の向上を図ることができる間伐材を利用したガードフェンスを提供することを目的として完成されたものである。
【課題を解決するための手段】
【０００７】
上記課題を解決するためになされた本考案の間伐材を利用したガードフェンスは、適宜間隔に設けた支柱間に上下２本の横ビームを架設するとともに、この横ビームに木製の縦材を取り付けたガードフェンスであって、前記縦材が間伐材から中央部の角材を切り出した場合に生じる外周部の廃材により形成されるものであり、樹皮を剥いた円弧状面を表面側とし、切削面である直線状面を裏面側とする断面蒲鉾型の縦材を、直線状面が前記横ビームに密着した状態で取り付けてあることを特徴とするものである。
【０００８】
また、前記支柱と横ビーム、および横ビームと縦材は各々締結部材で枢着されて、前記２本の支柱が平行移動できるよう構成されており、地形の傾斜に対応させて横ビームを傾斜した状態とすることができるものが好ましく、これを請求項２に係る考案とする。
【０００９】
また、前記支柱が角鋼管からなり、その表面側にも縦材が取り付けられていることが好ましく、これを請求項３に係る考案とする。
【００１０】
更に、前記縦材の上端部に保護キャップが装着されていることが好ましく、これを請求項４に係る考案とする。
【考案の効果】
【００１１】
請求項１に係る考案では、縦材が間伐材から中央部の角材を切り出した場合に生じる外周部の廃材により形成されるものであり、樹皮を剥いた円弧状面を表面側とし、切削面である直線状面を裏面側とする断面蒲鉾型の縦材を、直線状面が前記横ビームに密着した状態で取り付けてあるので、間伐材の利用率を更に高めることができ、また縦材の表面側が樹皮を剥いた自然木の模様となるので景観を著しく向上させることが可能となる。
【００１２】
また、請求項２に係る考案では、支柱と横ビーム、および横ビームと縦材は各々締結部材で枢着されて、前記２本の支柱が平行移動できるよう構成されており、地形の傾斜に対応させて横ビームを傾斜した状態とすることができるので、従来のように傾斜面専用のガードフェンスを別途準備する必要がなく、１種類のフェンスで水平な地形にも傾斜のある地形にも対処して施工することが可能となる。
【００１３】
また、請求項３に係る考案では、支柱が角鋼管からなり、その表面側にも縦材が取り付けられているものとしたので、支柱の意匠面も縦材と同じものとなり、より景観が向上することとなる。
【００１４】
また、請求項４に係る考案では、縦材の上端部に保護キャップが装着されているものとしたので、雨水の浸入による腐食を防止でき、また衝撃等による破損防止も図れることとなる。
【図面の簡単な説明】
【００１５】
【図１】本考案の実施の形態を示す正面図である。
【図２】本考案の実施の形態を示す斜視図である。
【図３】本考案の実施の形態を示す平面図である。
【図４】間伐材の切削加工を示す説明図である。
【図５】横ビームを傾斜させた状態を示す正面図である。
【図６】縦材が取り付けられた支柱を示す断面図である。
【考案を実施するための形態】
【００１６】
以下に、図面を参照しつつ本考案の好ましい実施の形態を示す。
図１は、本考案に係る間伐材を利用したガードフェンスをほぼ水平な地形の場所に設置した状態を示す正面図、図２はその斜視図、図３はその平面図である。
図１において、２０はほぼ水平なグランドライン、２１はこのグランドライン２０に埋設してある支持用筒体である。本考案の間伐材を利用したガードフェンスは、適宜間隔（例えば、２ｍ間隔）に設けた支柱１、１間に上下２本の横ビーム２、２を架設するとともに、この横ビームに木製の縦材３を一定間隔（例えば、６５ｍｍ間隔）で複数枚取り付けたものである。なお、支柱１と横ビーム２は四角の鋼管からなり、また支柱１の下方部は前記支持用筒体２１に挿入された後にコンクリートが流し込まれて固定されている。
【００１７】
前記縦材３は、間伐材から中央部の角材を切り出した場合に生じる外周部の廃材により形成されるものであり、樹皮を剥いた円弧状面を表面側とし、切削面である直線状面を裏面側とする断面が蒲鉾型のものである。
図４は、間伐材の切削加工を示す説明図であるが、通常、間伐材３０は中央部の角材３１が利用に供されるものであり、角材３１を切削加工した際に生じる外周部は廃材として処分されている。ところが本考案では、この外周部を更に利用して、樹皮を剥いた円弧状面３ａを表面側とし、切削面である直線状面３ｂを裏面側とする断面が蒲鉾型（幅１００ｍｍ、最大厚み約５０ｍｍ）のものを縦材３として利用することで資源の更なる活用を図っている。この結果、廃材としては僅かに角部３２しか生じない。
そして、この縦材３は直線状面３ｂを前記横ビーム２に密着した状態で取り付けるので、ガタつきもなくしっかりと取り付けられることになる。
【００１８】
また、前記支柱１と横ビーム２、および横ビーム２と縦材３とは、例えばボルトとナットからなる締結部材４で各々回動自在に枢着されて、前記２本の支柱１、１と横ビーム２、２とで平行リンクが形成されているので、支柱１、１が平行移動できる構造となっている。この結果、図５に示されるように、地形の傾斜に対応させて横ビーム２、２を傾斜した状態とすることができ、１種類のフェンスで水平な地形にも傾斜のある地形にも対処して施工することが可能となるので、従来のように傾斜面専用のガードフェンスを別途準備する必要がなくなる。
なお、回動自在に枢着するための締結部材４の構造、また支柱１と横ビーム２を回動自在とする構造については、一般的なものを利用すればよい。
【００１９】
また、図６に示されるように、支柱１は角鋼管（例えば、１００ｍｍ×５０ｍｍ、厚み１．６ｍｍ）からなり、その表面側にも前記と同様の縦材３が、直線状面３ｂを支柱１に密着した状態で取り付けられている。従って、支柱１の表面側も樹皮を剥いた円弧状面３ａが意匠面として現れるので、角鋼管がむき出しにならず景観が著しく向上することとなる。
【００２０】
また、縦材３の上端部にはポリプロピレン等の合成樹脂からなる保護キャップが装着されているので、雨水の浸入による腐食を防止している。また、衝撃等による破損防止を図る効果やデザイン性を向上させる効果も発揮することとなる。
【００２１】
このように構成された本考案の間伐材を利用したガードフェンスは、図１に示されるように、２本の支柱１、１間に上下２本の横ビーム２、２が架設され、この横ビーム２に木製の縦材３を取り付けた構造のものを１ユニットとし道路の脇に沿って設置して、小動物の侵入や人の立ち入り防止用フェンスとする。
本考案では、前記縦材３が間伐材から中央部の角材を切り出した場合に生じる外周部の廃材により形成されるものであるため、従来よりも間伐材の利用率を更に高めることができることとなる。しかも、縦材３は樹皮を剥いた円弧状面３ａを表面側とし、切削面である直線状面３ｂを裏面側とする断面が蒲鉾型の縦材３を、直線状面３ｂが前記横ビーム２に密着した状態で取り付けてあるので、樹皮を剥いた自然木の模様となって景観を著しく向上させることができる。
【００２２】
更には、図５に示されるように、前記支柱１、横ビーム２、縦材３とは、締結部材４で各々回動自在に枢着され、前記２本の支柱１、１と横ビーム２、２とで平行リンクが形成されており、支柱１、１が平行移動できる構造となっているため、地形の傾斜に対応させて横ビーム２、２を傾斜した状態とすることができる。この結果、１種類のフェンスで水平な地形にも傾斜のある地形にも対処して施工することが可能となり、設置作業の簡素化と大幅なコスト低減を達成できることとなる。
【符号の説明】
【００２３】
１  支柱
２  横ビーム
３  縦材
３ａ  円弧状面
３ｂ  直線状面
４  締結部材
５  保護キャップ
２０  グランドライン
３０  間伐材
３１  角材
【図１】
0003152583.tif 000003
【図２】
0003152583.tif 000004
【図３】
0003152583.tif 000005
【図４】
0003152583.tif 000006
【図５】
0003152583.tif 000007
【図６】
0003152583.tif 000008